(57)【要約】【課題】パッチパターンに含まれるすべてのパッチの濃度が低い場合であっても、センサ検出値の時系列データからパッチ位置を特定してパッチの濃度を検出することができるようにする。【解決手段】濃度センサ５０から出力される検出値の時系列データを閾値と比較して、時系列データの中のパッチ位置を特定する特定部１３０と、時系列データの中で特定されたパッチ位置における検出値に基づいてパッチの濃度を算出する濃度算出部１６０と、特定部１３０が閾値を用いてパッチ位置を特定できた場合に、特定されたパッチ位置と推定パッチ位置との差分を算出して該差分を差分記憶部１５０に記憶させる差分算出部１４０と、を備える。特定部１３０は、閾値を用いてパッチ位置を特定できない場合は、推定パッチ位置と差分記憶部１５０に記憶された差分とを用いて、時系列データの中のパッチ位置を特定する。【選択図】図４
2015031916.tif 000002
【特許請求の範囲】
【請求項１】
パッチが形成された像担持体に光を照射し、その反射光の受光量に応じた検出値を出力するセンサと、
前記像担持体の移動に伴って前記センサから出力される前記検出値の時系列データを所定の閾値と比較して、前記時系列データの中で前記センサがパッチからの反射光を受光している位置であるパッチ位置を特定する特定部と、
前記時系列データの中で特定された前記パッチ位置における前記検出値に基づいて、パッチの濃度を算出する濃度算出部と、
記憶部と、
前記特定部が前記閾値を用いて前記パッチ位置を特定できた場合に、特定された前記パッチ位置と、パッチ形成時からパッチが前記センサの位置を通過するまでの推定経過時間から求まる推定パッチ位置との差分を算出して、該差分を前記記憶部に記憶させる差分算出部と、を備え、
前記特定部は、前記閾値を用いて前記パッチ位置を特定できない場合に、前記推定パッチ位置と前記記憶部に記憶された前記差分とを用いて前記パッチ位置を特定することを特徴とするパッチ濃度検出装置。
【請求項２】
前記差分算出部は、異なる色のパッチを各々形成する複数の画像形成ステーションごとに前記差分を算出して前記記憶部に記憶させることを特徴とする請求項１に記載のパッチ濃度検出装置。
【請求項３】
前記像担持体には、ベタ濃度調整用のパッチが形成された後に、ハーフトーン濃度調整用のパッチが形成され、
前記特定部は、ハーフトーン濃度調整用のパッチに対応する前記パッチ位置を、前記推定パッチ位置と、ベタ濃度調整用のパッチに対応する前記パッチ位置を前記閾値を用いて特定した際に算出された前記差分とを用いて特定することを特徴とする請求項１に記載のパッチ濃度検出装置。
【請求項４】
前記差分算出部は、予め定めた位置ずれ条件が発生した場合に、前記記憶部に記憶した前記差分を消去することを特徴とする請求項１に記載のパッチ濃度検出装置。
【請求項５】
前記位置ずれ条件は、温度または湿度が所定値以上変化したこと、または、パッチを形成する画像形成ステーションに位置ずれが生じたこと、または、最後にパッチを形成してから所定時間以上経過したこと、または、最後にパッチを形成してからの印刷枚数が所定枚数以上になったこと、の少なくとも一つであることを特徴とする請求項４に記載のパッチ濃度検出装置。
【請求項６】
請求項１〜５のいずれか一項に記載のパッチ濃度検出装置を備え、
前記濃度算出部が算出したパッチの濃度に基づいて、画像形成プロセスにおける少なくとも一つのパラメータが調整されることを特徴とする画像形成装置。
【請求項７】
パッチが形成された像担持体に光を照射し、その反射光の受光量に応じた検出値を出力するセンサと、記憶部と、を備えたパッチ濃度検出装置において実行されるパッチ濃度検出方法であって、
前記パッチ濃度検出装置が、前記像担持体の移動に伴って前記センサから出力される前記検出値の時系列データを所定の閾値と比較して、前記時系列データの中で前記センサがパッチからの反射光を受光している位置であるパッチ位置を特定するステップと、
前記パッチ濃度検出装置が、前記閾値を用いて前記パッチ位置を特定できた場合に、特定された前記パッチ位置と、パッチ形成時からパッチが前記センサの位置を通過するまでの推定経過時間から求まる推定パッチ位置との差分を算出して、該差分を前記記憶部に記憶させるステップと、
前記パッチ濃度検出装置が、前記閾値を用いて前記パッチ位置を特定できない場合に、前記推定パッチ位置と前記記憶部に記憶された前記差分とを用いて前記パッチ位置を特定するステップと、
前記パッチ濃度検出装置が、前記時系列データの中で特定された前記パッチ位置における前記検出値に基づいて、パッチの濃度を算出する濃度算出ステップと、を含むことを特徴とするパッチ濃度検出方法。
【請求項８】
パッチが形成された像担持体に光を照射し、その反射光の受光量に応じた検出値を出力するセンサと、記憶部と、を備えたパッチ濃度検出装置に、
前記像担持体の移動に伴って前記センサから出力される前記検出値の時系列データを所定の閾値と比較して、前記時系列データの中で前記センサがパッチからの反射光を受光している位置であるパッチ位置を特定する機能と、
前記閾値を用いて前記パッチ位置を特定できた場合に、特定された前記パッチ位置と、パッチ形成時からパッチが前記センサの位置を通過するまでの推定経過時間から求まる推定パッチ位置との差分を算出して、該差分を前記記憶部に記憶させる機能と、
前記閾値を用いて前記パッチ位置を特定できない場合に、前記推定パッチ位置と前記記憶部に記憶された前記差分とを用いて前記パッチ位置を特定する機能と、
前記時系列データの中で特定された前記パッチ位置における前記検出値に基づいて、パッチの濃度を算出する機能と、を実現させるためのプログラム。
【発明の詳細な説明】
【技術分野】
【０００１】
本発明は、パッチ濃度検出装置、画像形成装置、パッチ濃度検出方法およびプログラムに関する。
【背景技術】
【０００２】
従来、電子写真方式の画像形成装置では、画像品質の安定化を目的として、所定のタイミングで画像形成プロセスにおけるパラメータの調整が行われている。例えば、中間転写ベルトなどの像担持体にパッチを形成してその濃度をセンサで検出し、検出したパッチ濃度をもとに、現像バイアスや帯電バイアスなどのパラメータを調整する。
【０００３】
パッチ濃度の検出に用いるセンサは、例えば、パッチが形成された像担持体に光を照射し、その反射光の受光量に応じた検出値（電圧値）を出力する。センサがパッチからの反射光を受光しているときの検出値から、パッチの濃度を算出することができる。
【０００４】
画像形成プロセスにおけるパラメータを調整するためのパッチは、濃度が異なる複数のパッチが一定間隔で並んだパッチパターンとして形成される。そして、像担持体の移動に伴い、パッチパターンに含まれる各パッチがセンサの位置を通過することで、各パッチに対応する検出値が得られる。つまり、像担持体の移動に伴いセンサから出力される検出値の時系列データの中から、センサが各パッチの反射光を受光している位置であるパッチ位置を特定し、特定したパッチ位置の検出値から、各パッチの濃度を求めることができる。センサから出力される検出値の時系列データの中からパッチ位置を特定する方法としては、例えば、時系列データを所定の閾値と比較してパッチ位置を特定する方法が知られている（例えば、特許文献１参照）。
【０００５】
しかし、閾値を用いてセンサ検出値の時系列データからパッチ位置を特定する方法では、濃度の薄いパッチに対応するパッチ位置を特定できない場合がある。これに対し、パッチパターンに含まれる複数のパッチのうち、濃度の高いパッチに対応するパッチ位置からパッチパターンの位置ずれ量を求め、この位置ずれ量を用いて濃度検出の対象となるセンサ検出値を選択する方法が知られている（例えば、特許文献２参照）。この技術を利用すれば、センサ検出値の時系列データに対する閾値判定によりパッチ位置を特定する際に、パッチパターンに含まれる複数のパッチのうち、少なくとも濃度が最も高いパッチに対応するパッチ位置を特定できれば、その他の濃度の薄いパッチの位置も特定することができる。
【発明の概要】
【発明が解決しようとする課題】
【０００６】
しかし、パッチパターンに含まれる複数のパッチのすべてが濃度の低いパッチである場合には、特許文献２に記載の技術を利用しても、センサ検出値の時系列データからパッチ位置を特定することができない。具体的には、現像バイアスを変化させながらパッチパターンを形成して現像バイアスの調整値を求めるベタ濃度調整と、帯電バイアスを変化させながらパッチパターンを形成して帯電バイアスの調整値を求めるハーフトーン濃度調整とをこの順で実施する場合、ハーフトーン濃度調整時に形成されるパッチパターンはすべてのパッチの濃度が全体的に低いため、センサ検出値の時系列データからパッチ位置を特定することができない場合がある。
【０００７】
本発明は、上記に鑑みてなされたものであって、パッチパターンに含まれるすべてのパッチの濃度が低い場合であっても、センサ検出値の時系列データからパッチ位置を特定してパッチの濃度を検出することができるパッチ濃度検出装置、画像形成装置、パッチ濃度検出方法およびプログラムを提供することを目的とする。
【課題を解決するための手段】
【０００８】
上述した課題を解決し、目的を達成するために、本発明に係るパッチ濃度検出装置は、パッチが形成された像担持体に光を照射し、その反射光の受光量に応じた検出値を出力するセンサと、前記像担持体の移動に伴って前記センサから出力される前記検出値の時系列データを所定の閾値と比較して、前記時系列データの中で前記センサがパッチからの反射光を受光している位置であるパッチ位置を特定する特定部と、前記時系列データの中で特定された前記パッチ位置における前記検出値に基づいて、パッチの濃度を算出する濃度算出部と、記憶部と、前記特定部が前記閾値を用いて前記パッチ位置を特定できた場合に、特定された前記パッチ位置と、パッチ形成時からパッチが前記センサの位置を通過するまでの推定経過時間から求まる推定パッチ位置との差分を算出して、該差分を前記記憶部に記憶させる差分算出部と、を備え、前記特定部は、前記閾値を用いて前記パッチ位置を特定できない場合に、前記推定パッチ位置と前記記憶部に記憶された前記差分とを用いて前記パッチ位置を特定することを特徴とする。
【発明の効果】
【０００９】
本発明によれば、パッチパターンに含まれるすべてのパッチの濃度が低い場合であっても、センサ検出値の時系列データからパッチ位置を特定してパッチの濃度を検出することができるという効果を奏する。
【図面の簡単な説明】
【００１０】
【図１】図１は、実施形態の画像形成装置の概略構成を示す模式図である。
【図２】図２は、濃度調整制御を行う際に中間転写ベルト上に形成されるパッチパターンの一例を示す図である。
【図３】図３は、実施形態のパッチ濃度検出装置のハードウェア構成例を示すブロック図である。
【図４】図４は、演算装置の機能的な構成を示すブロック図である。
【図５】図５は、ベタ濃度調整の際に濃度センサから出力される検出値の時系列データからパッチ位置を特定する様子を示す図である。
【図６】図６は、ハーフトーン濃度調整の際に濃度センサから出力される検出値の時系列データからパッチ位置を特定する様子を示す図である。
【図７】図７は、演算装置により実行される一連の処理を示すフローチャートである。
【発明を実施するための形態】
【００１１】
以下に添付図面を参照して、この発明に係るパッチ濃度検出装置、画像形成装置、パッチ濃度検出方法およびプログラムの実施形態を詳細に説明する。
【００１２】
（画像形成装置）
まず、パッチ濃度検出装置を備える画像形成装置の概要について説明する。以下で説明する画像形成装置は、電子写真方式でフルカラーの画像形成を行うものであり、いわゆるタンデムタイプと呼ばれる構成のものである。ただし、画像形成装置の構成は以下の例に限定されるものではない。本発明は、所定のタイミングで画像形成プロセスにおけるパラメータの調整が行われる画像形成装置に対して広く適用可能である。
【００１３】
図１は、本実施形態の画像形成装置の概略構成を示す模式図である。本実施形態の画像形成装置は、図１に示すように、Ｙ（イエロー）、Ｍ（マゼンタ）、Ｃ（シアン）およびＢｋ（ブラック）の各色に対応する４つの画像形成ステーション６Ｙ，６Ｍ，６Ｃ，６Ｂｋを備える。これら４つの画像形成ステーション６Ｙ，６Ｍ，６Ｃ，６Ｂｋは、像担持体である中間転写ベルト５に沿って配置されている。
【００１４】
中間転写ベルト５は、回転駆動される駆動ローラ７と従動ローラ８とに亘って巻回されたエンドレスのベルトである。駆動ローラ７は、不図示の駆動モータにより回転駆動させられる。駆動ローラ７が回転すると、この駆動ローラ７と従動ローラ８との間で中間転写ベルト５が周回移動する。４つの画像形成ステーション６Ｙ，６Ｍ，６Ｃ，６Ｂｋは、中間転写ベルト５の移動方向の上流側から下流側に向かって、画像形成ステーション６Ｙ、画像形成ステーション６Ｍ、画像形成ステーション６Ｃ、画像形成ステーション６Ｂｋの順に配置されている。
【００１５】
これら４つの画像形成ステーション６Ｙ，６Ｍ，６Ｃ，６Ｂｋは、形成するトナー画像の色が異なるだけで内部構成は共通である。画像形成ステーション６Ｙはイエローのトナー画像を形成する。画像形成ステーション６Ｍはマゼンタのトナー画像を形成する。画像形成ステーション６Ｃはシアンのトナー画像を形成する。画像形成ステーション６Ｂｋはブラックのトナー画像を形成する。以下では、画像形成ステーション６Ｙの各構成要素について具体的に説明する。他の画像形成ステーション６Ｍ，６Ｃ，６Ｂｋは、画像形成ステーション６Ｙと同様の構成であるので、各構成要素について画像形成ステーション６Ｙの各構成要素に付したＹに替えて、Ｍ，Ｃ，Ｂｋによって区別した符号を図示するにとどめ、重複した説明を省略する。
【００１６】
画像形成ステーション６Ｙは、感光体としての感光体ドラム９Ｙと、感光体ドラム９Ｙの周囲に配置された帯電器１０Ｙ、光書込ヘッド１１Ｙ、現像器１２Ｙ、感光体クリーナ（図示せず）および除電器１３Ｙとを備える。光書込ヘッド１１Ｙは、画像データに応じて駆動されるＬＥＤ（発光ダイオード）などの発光部を備え、画像データに応じた書込光を発生させて感光体ドラム９Ｙを露光するように構成されている。
【００１７】
画像形成に際し、感光体ドラム９Ｙの外周面は、暗中にて帯電器１０Ｙにより一様に帯電された後、光書込ヘッド１１Ｙからのイエロー画像に対応した書込光により露光される。これにより、感光体ドラム９Ｙに静電潜像が形成される。現像器１２Ｙは、この静電潜像をイエロートナーにより可視像化する。これにより、感光体ドラム９Ｙ上にイエローのトナー画像が形成される。イエローのトナー画像は、感光体ドラム９Ｙと中間転写ベルト５とが接する位置（１次転写位置）で、転写器１５Ｙの働きにより中間転写ベルト５上に転写される。トナー画像の転写が終了した感光体ドラム９Ｙは、外周面に残留した不要なトナーが感光体クリーナにより払拭された後、除電器１３Ｙにより除電され、次の画像形成のために待機する。以上のようにして、画像形成ステーション６Ｙで形成したイエローのトナー画像は、中間転写ベルト５によって次の画像形成ステーション６Ｍと対向する位置に搬送される。
【００１８】
画像形成ステーション６Ｍでは、画像形成ステーション６Ｙでの画像形成プロセスと同様のプロセスにより感光体ドラム９Ｍ上にマゼンタのトナー画像を形成する。感光体ドラム９Ｍ上に形成されたトナー画像は、中間転写ベルト５上に形成されたイエローの画像に重畳されて転写される。
【００１９】
中間転写ベルト５上のトナー画像は、さらに次の画像形成ステーション６Ｃと対向する位置と、画像形成ステーション６Ｂｋと対向する位置とに順次搬送され、同様の動作により、感光体ドラム９Ｃ上に形成されたシアンのトナー画像と、感光体ドラム９Ｂｋ上に形成されたブラックのトナー画像とが、中間転写ベルト５上に重畳されて転写される。こうして、中間転写ベルト５上にフルカラーのトナー画像が形成される。
【００２０】
一方、給紙トレイ１に収容された用紙４は、最も上のものから順に、給紙ローラ２と分離ローラ３とにより分離給紙されて、中間転写ベルト５と接する位置（２次転写位置）に搬送される。用紙４は、中間転写ベルト５上に形成されたトナー画像が２次転写位置に到達するタイミングと合わせて、２次転写位置に搬送される。そして、中間転写ベルト５上のフルカラーのトナー画像が用紙４上に転写される。２次転写位置には２次転写ローラ２１が配置されており、用紙４を中間転写ベルト５に押し当てることで転写効率を高めている。中間転写ベルト５上に残存する不要なトナーは、ベルトクリーナ１９により払拭され、清掃される。
【００２１】
フルカラーのトナー画像が転写された用紙４は、中間転写ベルト５から剥離されて定着器１６に搬送される。そして、定着器１６の加熱および加圧動作によりトナー画像が用紙４に定着され、フルカラー画像が形成された印刷物として、画像形成装置の外部に排紙される。
【００２２】
以上のように構成される画像形成装置では、画像品質の安定化を目的として、所定のタイミングで画像形成プロセスにおけるパラメータの調整が行われる。調整の対象となるパラメータは、例えば、画像形成ステーション６Ｙ，６Ｍ，６Ｃ，６Ｂｋそれぞれの現像バイアスや帯電バイアスなど、トナー画像の濃度に関係するパラメータである。以下、このようなパラメータを調整する動作を、濃度調整制御という。
【００２３】
本実施形態の画像形成装置では、濃度調整制御として、ベタ濃度調整とハーフトーン濃度調整とをこの順で順次行う。ベタ濃度調整では、画像形成ステーション６Ｙ，６Ｍ，６Ｃ，６Ｂｋそれぞれの現像バイアスを調整する。ハーフトーン濃度調整では、画像形成ステーション６Ｙ，６Ｍ，６Ｃ，６Ｂｋそれぞれの帯電バイアスを調整する。
【００２４】
具体的には、ベタ濃度調整では、現像バイアスを変化させながら、中間転写ベルト５上に濃度の異なる複数のパッチを一定間隔で並べたパッチパターンを形成する。ベタ濃度調整用のパッチパターンに含まれる各パッチは、当該パッチ形成時の現像バイアスに応じたトナー付着量のパッチとなっている。このベタ濃度調整用のパッチパターンに含まれる各パッチの濃度（トナー付着量）を検出し、現像バイアスとそれに対応するトナー付着量の関係を直線近似して、目標のトナー付着量に対応する現像バイアスを調整値として求めるのがベタ濃度調整である。ベタ濃度調整は、画像形成ステーション６Ｙ，６Ｍ，６Ｃ，６Ｂｋごとに行われ、画像形成ステーション６Ｙ，６Ｍ，６Ｃ，６Ｂｋごとに現像バイアスの調整値が求められる。
【００２５】
一方、ハーフトーン濃度調整では、帯電バイアスを変化させながら、中間転写ベルト５上に濃度の異なる複数のパッチを一定間隔で並べたパッチパターンを形成する。ハーフトーン濃度調整用のパッチパターンに含まれる各パッチは、当該パッチ形成時の帯電バイアスに応じたトナー付着量のパッチとなっている。このハーフトーン濃度調整用のパッチパターンに含まれる各パッチの濃度（トナー付着量）を検出し、帯電バイアスとそれに対応するトナー付着量の関係を直線近似して、目標のトナー付着量に対応する帯電バイアスを調整値として求めるのがハーフトーン濃度調整である。ハーフトーン濃度調整は、画像形成ステーション６Ｙ，６Ｍ，６Ｃ，６Ｂｋごとに行われ、画像形成ステーション６Ｙ，６Ｍ，６Ｃ，６Ｂｋごとに帯電バイアスの調整値が求められる。
【００２６】
ハーフトーン濃度調整は、ベタ濃度調整によって求めた調整値により各画像形成ステーション６Ｙ，６Ｍ，６Ｃ，６Ｂｋの現像バイアスを調整した状態で行われる。ベタ濃度調整を行った後、ハーフトーン濃度調整を行うまでの間に時間が経過すると、ハーフトーンの濃度がずれる虞がある。このため、ハーフトーン濃度調整は、ベタ濃度調整を行った直後に実施する。
【００２７】
図２は、濃度調整制御を行う際に中間転写ベルト５上に形成されるパッチパターンの一例を示す図である。パッチパターンは、例えば図２に示すように、通常の画像形成に用いない中間転写ベルト５の両端部の領域に形成される。図２に示す例では、中間転写ベルト１０の図中右側端部に、イエローのパッチパターンＰＹおよびブラックのパッチパターンＰＢｋが形成され、中間転写ベルト５の図中左側端部に、マゼンタのパッチパターンＰＭおよびシアンのパッチパターンＰＣが形成されている。
【００２８】
イエローのパッチパターンＰＹは、例えば、イエローのトナーの付着量（濃度）が異なる７つのパッチＹ１〜Ｙ７を、中間転写ベルト５の移動方向Ｘに沿って一定間隔で並べたものである。パッチパターンＰＹがベタ濃度調整用のパッチパターンであれば、７つのパッチＹ１〜Ｙ７は、画像形成ステーション６Ｙの現像バイアスを変化させながら形成されたパッチであり、各パッチがそれぞれのパッチ形成時の現像バイアスに応じた濃度を持つ。パッチパターンＰＹがハーフトーン濃度調整用のパッチパターンであれば、７つのパッチＹ１〜Ｙ７は、画像形成ステーション６Ｙの帯電バイアスを変化させながら形成されたパッチであり、各パッチがそれぞれのパッチ形成時の帯電バイアスに応じた濃度を持つ。
【００２９】
マゼンタのパッチパターンＰＭは、例えば、マゼンタのトナーの付着量（濃度）が異なる７つのパッチＭ１〜Ｍ７を、中間転写ベルト５の移動方向Ｘに沿って一定間隔で並べたものである。パッチパターンＰＭがベタ濃度調整用のパッチパターンであれば、７つのパッチＭ１〜Ｍ７は、画像形成ステーション６Ｍの現像バイアスを変化させながら形成されたパッチであり、各パッチがそれぞれのパッチ形成時の現像バイアスに応じた濃度を持つ。パッチパターンＰＭがハーフトーン濃度調整用のパッチパターンであれば、７つのパッチＭ１〜Ｍ７は、画像形成ステーション６Ｍの帯電バイアスを変化させながら形成されたパッチであり、各パッチがそれぞれのパッチ形成時の帯電バイアスに応じた濃度を持つ。
【００３０】
シアンのパッチパターンＰＣは、例えば、シアンのトナーの付着量（濃度）が異なる７つのパッチＣ１〜Ｃ７を、中間転写ベルト５の移動方向Ｘに沿って一定間隔で並べたものである。パッチパターンＰＣがベタ濃度調整用のパッチパターンであれば、７つのパッチＣ１〜Ｃ７は、画像形成ステーション６Ｃの現像バイアスを変化させながら形成されたパッチであり、各パッチがそれぞれのパッチ形成時の現像バイアスに応じた濃度を持つ。パッチパターンＰＣがハーフトーン濃度調整用のパッチパターンであれば、７つのパッチＣ１〜Ｃ７は、画像形成ステーション６Ｃの帯電バイアスを変化させながら形成されたパッチであり、各パッチがそれぞれのパッチ形成時の帯電バイアスに応じた濃度を持つ。
【００３１】
ブラックのパッチパターンＰＢｋは、例えば、ブラックのトナーの付着量（濃度）が異なる７つのパッチＢｋ１〜Ｂｋ７を、中間転写ベルト５の移動方向Ｘに沿って一定間隔で並べたものである。パッチパターンＰＢｋがベタ濃度調整用のパッチパターンであれば、７つのパッチＢｋ１〜Ｂｋ７は、画像形成ステーション６Ｂｋの現像バイアスを変化させながら形成されたパッチであり、各パッチがそれぞれのパッチ形成時の現像バイアスに応じた濃度を持つ。パッチパターンＰＢｋがハーフトーン濃度調整用のパッチパターンであれば、７つのパッチＢｋ１〜Ｂｋ７は、画像形成ステーション６Ｂｋの帯電バイアスを変化させながら形成されたパッチであり、各パッチがそれぞれのパッチ形成時の帯電バイアスに応じた濃度を持つ。
【００３２】
中間転写ベルト５上に形成されたパッチパターンの各パッチの濃度を検出するために、中間転写ベルト５の移動方向Ｘの前方（画像形成ステーション６Ｙ，６Ｍ，６Ｃ，６Ｂｋから中間転写ベルト５にパッチが転写される位置よりも前方）には、濃度センサ５０が配設されている（図１および図２参照）。図２に示す例では、パッチパターンが中間転写ベルト５の両端部に形成されるため、中間転写ベルト５の両端部と対向する位置に、２つの濃度センサ５０がそれぞれ配置されている。なお、濃度センサ５０は、中間転写ベルト１０の移動に伴ってパッチパターンに含まれる各パッチが通過する位置に設けられていればよい。例えば、パッチパターンが中間転写ベルト５の一方の端部のみに形成される場合は、中間転写ベルト５の一方の端部と対向する位置に１つの濃度センサ５０を配置すればよい。
【００３３】
なお、中間転写ベルト５の移動に伴って濃度センサ５０の位置を通過したパッチは、上述したベルトクリーナ１９により払拭され、清掃される。ベタ濃度調整とハーフトーン濃度調整とを順次行う濃度調整制御では、まず、画像形成ステーション６Ｙ，６Ｍ，６Ｃ，６Ｂｋによりベタ濃度調整用のパッチパターンＰＹ，ＰＭ，ＰＣ，ＰＢｋが中間転写ベルト５上に形成される。そして、各パッチパターンＰＹ，ＰＭ，ＰＣ，ＰＢｋに含まれるすべてのパッチが濃度センサ５０の位置を通過した後、これらのパッチがベルトクリーナ１９により清掃される。その後、画像形成ステーション６Ｙ，６Ｍ，６Ｃ，６Ｂｋによりハーフトーン濃度調整用のパッチパターンＰＹ，ＰＭ，ＰＣ，ＰＢｋが中間転写ベルト５上に形成される。そして、各パッチパターンＰＹ，ＰＭ，ＰＣ，ＰＢｋに含まれるすべてのパッチが濃度センサ５０の位置を通過した後、これらのパッチがベルトクリーナ１９により清掃される。
【００３４】
（パッチ濃度検出装置）
次に、上述した画像形成装置において濃度調整制御を実施する際に用いられる本実施形態のパッチ濃度検出装置について説明する。
【００３５】
図３は、本実施形態のパッチ濃度検出装置のハードウェア構成例を示すブロック図である。本実施形態のパッチ濃度検出装置は、上述した濃度センサ５０と、中間転写ベルト５の移動に伴って濃度センサ５０から出力される検出値の時系列データをもとに、パッチパターンに含まれる各パッチの濃度を算出する演算装置１００と、を備える。なお、図３では濃度センサ５０を１つのみ図示しているが、複数の濃度センサ５０を備える構成の場合は、各濃度センサ５０から演算装置１００に対して、検出値の時系列データがそれぞれ入力される。
【００３６】
濃度センサ５０は、パッチが形成された中間転写ベルト５に光を照射し、その反射光の受光量に応じた検出値を出力する。例えば、濃度センサ５０は、パッチが形成された中間転写ベルト５からの正反射光を受光し、その受光量に応じた電圧値（正反射電圧）を検出値として出力する。パッチが形成された中間転写ベルト５が移動すると、この移動に伴って濃度センサ５０の検出値が変化するため、検出値の時系列データが濃度センサ５０から出力される。濃度センサ５０から出力される検出値の時系列データは、演算装置１００に入力される。
【００３７】
演算装置１００は、中間転写ベルト５の移動に伴って濃度センサ５０から出力される検出値の時系列データをもとに、パッチパターンに含まれる各パッチの濃度を算出する。演算装置１００は、例えば図３に示すように、ＣＰＵ１０１、ＲＯＭ１０２、ＲＡＭ１０３、不揮発性メモリ１０４、および入出力Ｉ／Ｆ（インターフェース）１０５を備え、これら各部がバス１０６で接続されたワンチップマイコンとして構成される。そして、演算装置１００は、ＣＰＵ１０１がＲＡＭ１０３をワークエリアとして利用して、ＲＯＭ１０２に格納された所定のプログラムを実行することで、濃度センサ５０から出力される検出値の時系列データを処理してパッチの濃度を算出するための各種機能を実現する。
【００３８】
図４は、演算装置１００の機能的な構成を示すブロック図である。演算装置１００は、濃度センサ５０から出力される検出値の時系列データを処理してパッチの濃度を算出するための機能的な構成要素として、入力部１１０と、バッファメモリ１２０と、特定部１３０と、差分算出部１４０と、差分記憶部１５０と、濃度算出部１６０と、出力部１７０と、を備える。なお、演算装置１００は、これらの構成要素の一部または全部を、例えばＡＳＩＣ（Application  Specific  Integrated  Circuit）やＦＰＧＡ（Field  Programmable  Gate  Array）などの専用のハードウェアを用いて実現する構成であってもよい。
【００３９】
入力部１１０は、中間転写ベルト５の移動に伴って濃度センサ５０から出力される検出値の時系列データを入力する。濃度センサ５０は、中間転写ベルト５上に形成されたパッチパターンの先頭のパッチが当該濃度センサ５０の位置を通過するタイミングよりも所定時間前のタイミングから検出値の出力を開始する。そして、パッチパターンの最後尾のパッチが当該濃度センサ５０の位置を通過すると、検出値の出力を終了する。入力部１１０は、濃度センサ５０が出力を開始してから終了するまでの間の検出値の時系列データを入力する。入力部１１０は、図３に示した入出力Ｉ／Ｆ１０５の一機能として実現することができる。
【００４０】
バッファメモリ１２０は、入力部１１０が入力した時系列データを所定単位で保持する。バッファメモリ１２０は、例えば図３に示したＲＡＭ１０３などを用いて実現することができる。
【００４１】
特定部１３０は、バッファメモリ１２０に保持された時系列データをバッファメモリ１２０から読み出し、この時系列データの中で、濃度センサ５０がパッチからの反射光を受光している位置であるパッチ位置を特定する。
【００４２】
バッファメモリ１２０に保持された時系列データは、濃度センサ５０が中間転写ベルト５の地肌部からの反射光を受光している部分とパッチからの反射光を受光している部分とを含んでいる。このため、時系列データの中で、地肌部からの反射光を受光している部分とパッチからの反射光を受光している部分とを分離して、パッチの濃度の算出に用いるパッチ位置を特定する必要がある。濃度センサ５０から出力された検出値の時系列データは、例えば上述したように、正反射光の受光量に応じた正反射電圧の波形である。正反射電圧の値はパッチの濃度が高いほど小さくなり、中間転写ベルト５の地肌部の正反射電圧との差が大きくなる。このため、特定部１３０は、正反射電圧の波形を所定の閾値と比較し、正反射電圧の値が閾値以下となっている部分の中心位置をパッチ位置と特定することができる。
【００４３】
時系列データの中で濃度の高いパッチに対応するパッチ位置を特定することができれば、そのパッチを含むパッチパターンの他のパッチに対応するパッチ位置も特定することができる。すなわち、パッチパターンに含まれる各パッチは一定間隔（以下、パッチ間隔という。）で並んでいるため、時系列データの中で特定した濃度の高いパッチに対応するパッチ位置から、パッチ間隔に対応する時間分ずらした位置を順次辿ることにより、他のパッチに対応するパッチ位置を特定することができる。例えば、ベタ濃度調整用のパッチパターンは最後尾のパッチの濃度が最も高いので、時系列データの中で最後尾のパッチに対応するパッチ位置を閾値比較により特定し、特定したパッチ位置からパッチ間隔に対応する時間分だけ時間軸上で遡った位置を順次辿ることにより、ベタ濃度調整用のパッチに含まれる他のパッチに対応するパッチ位置を特定することができる。
【００４４】
しかし、濃度パターンに含まれるすべてのパッチの濃度が低い場合、閾値比較によりパッチ位置を特定できない場合がある。例えば、ハーフトーン濃度調整用のパッチパターンは先頭のパッチの濃度が最も高いが、すべてのパッチの濃度が全体的に低いため、時系列データを閾値比較する方法では、いずれのパッチ位置も特定できない場合がある。そこで、特定部１３０は、時系列データの閾値比較でパッチ位置を特定できない場合には、パッチ形成時からパッチが濃度センサ５０の位置を通過するまでの推定経過時間から求まる推定パッチ位置と、後述の差分記憶部１５０が記憶する差分とを用いて、時系列データの中のパッチ位置を特定する。
【００４５】
推定経過時間は、画像形成ステーション６Ｙ，６Ｍ，６Ｃ，６Ｂｋがパッチの形成を開始してからパッチが中間転写ベルト５上に転写されるまでの時間と、中間転写ベルト５上に転写されたパッチが濃度センサ５０の位置を通過するまでの時間とを足し合わせた時間である。前者の時間は、感光体ドラム９Ｙ，９Ｍ，９Ｃ，９Ｂｋ上の露光位置から１次転写位置までの距離と感光体ドラム９Ｙ，９Ｍ，９Ｃ，９Ｂｋの回転速度から求めることができる。後者の時間は、中間転写ベルト５上の１次転写位置から濃度センサ５０の位置までの距離と中間転写ベルト５の移動速度から求めることができる。そして、これらの時間を足し合わせることで、推定経過時間を求めることができる。
【００４６】
時系列データの中の推定パッチ位置は、例えば以下のように求めることができる。まず、上記のように求めた推定経過時間から、濃度センサ５０が検出値の出力を開始するまでの時間を除いて、濃度センサ５０が検出値の出力を開始してからパッチが濃度センサ５０の位置を通過するまでの時間を求める。そして、時系列データの先頭から、上記のように求めた時間分だけ時間軸上で後方の位置を、推定パッチ位置とする。
【００４７】
差分記憶部１５０が記憶する差分は、特定部１３０が閾値比較により特定することができたパッチ位置と、パッチ位置が特定されたパッチについての上述した推定パッチ位置との差分である。この差分は様々な要因で生じるパッチパターンの位置ずれ量に相当し、位置ずれ条件が変化しなければ、ほぼ一定となる。そこで、特定部１３０は、時系列データの閾値比較によりパッチ位置を特定できない場合は、パッチ位置を特定する対象となるパッチについての上述した推定パッチ位置と、差分記憶部１５０が記憶する差分とを用いて、当該パッチに対応するパッチ位置を特定する。これにより、パッチパターンに含まれるすべてのパッチの濃度が低い場合であっても、時系列データの中のパッチ位置を適切に特定することが可能となる。
【００４８】
差分算出部１４０は、上述したように、特定部１３０が閾値比較によって時系列データの中のパッチ位置を特定できた場合に、特定されたパッチ位置と、パッチ位置が特定されたパッチについての上述した推定パッチ位置との差分を算出して、差分記憶部１５０に記憶させる。差分算出部１４０は、このような差分の算出および差分記憶部１５０への記憶を、画像形成ステーション６Ｙ，６Ｍ，６Ｃ，６Ｂｋごとに行う。つまり、特定部１３０がイエローのパッチについてのパッチ位置を特定した場合、そのパッチ位置と推定パッチ位置との差分を求めて、画像形成ステーション６Ｙに対応する差分として差分記憶部１５０に記憶させる。同様に、特定部１３０がマゼンタのパッチについてのパッチ位置を特定した場合には、そのパッチ位置と推定パッチ位置との差分を求めて、画像形成ステーション６Ｍに対応する差分として差分記憶部１５０に記憶させる。同様に、特定部１３０がシアンのパッチについてのパッチ位置を特定した場合には、そのパッチ位置と推定パッチ位置との差分を求めて、画像形成ステーション６Ｃに対応する差分として差分記憶部１５０に記憶させる。同様に、特定部１３０がブラックのパッチについてのパッチ位置を特定した場合には、そのパッチ位置と推定パッチ位置との差分を求めて、画像形成ステーション６Ｂｋに対応する差分として差分記憶部１５０に記憶させる。
【００４９】
また、差分算出部１４０は、予め定めた位置ずれ条件が発生した場合には、差分記憶部１５０に記憶した差分を消去する。ここで、位置ずれ条件としては、例えば、画像形成装置が設置された環境の温度または湿度が所定値以上変化したこと、または、パッチを形成する画像形成ステーション６Ｙ，６Ｍ，６Ｃ，６Ｂｋに位置ずれが生じたこと、または、最後にパッチを形成してから所定時間以上経過したこと、または、最後にパッチを形成してからの印刷枚数が所定枚数以上になったこと、などが挙げられる。これらの位置ずれ条件が発生した場合には、パッチパターンの位置ずれ量が変化していることが想定される。そこで、差分算出部１４０は、上記の位置ずれ条件が発生した場合には、差分記憶部１５０に記憶した差分を消去する。これにより、特定部１３０が差分記憶部１５０に記憶した差分を用いて誤ったパッチ位置を特定してしまう不都合を有効に抑制することができる。
【００５０】
なお、特定部１３０が閾値比較によりパッチ位置を特定することができず、かつ、差分記憶部１５０に差分が記憶されていない場合には、その時点で濃度調整制御を終了することが望ましい。これにより、現像バイアスや帯電バイアスなどのパラメータが誤って調整される不都合を有効に抑制することができる。また、その場合、濃度調整制御が正しく実施できなかった旨をユーザに通知するようにしてもよい。
【００５１】
差分記憶部１５０は、上述したように、差分算出部１４０により算出された差分を記憶する。差分記憶部１５０は、例えば図３に示した不揮発性メモリ１０４などを用いて実現することができる。
【００５２】
濃度算出部１６０は、バッファメモリ１２０に保持された時系列データをバッファメモリ１２０から読み出し、この時系列データの中で、特定部１３０によって特定されたパッチ位置における検出値に基づいて、パッチの濃度を算出する。例えば、濃度算出部１６０は、検出値である正反射電圧の値とトナー付着量との関係を定めた関数もしくはテーブルを用いて、パッチ位置における正反射電圧の値から、パッチの濃度を算出する。
【００５３】
出力部１７０は、濃度算出部１６０が算出したパッチ濃度を出力する。画像形成装置は、この出力部１７０から出力されるパッチ濃度を用いて、上述したベタ濃度調整やハーフトーン濃度調整を行い、画像形成ステーション６Ｙ，６Ｍ，６Ｃ，６Ｂｋにおける現像バイアスや帯電バイアスなどのパラメータを調整することができる。
【００５４】
次に、図５および図６を参照して、本実施形態のパッチ濃度検出装置の動作の具体例について説明する。
【００５５】
図５は、ベタ濃度調整の際に濃度センサ５０から出力される検出値の時系列データからパッチ位置を特定する様子を示す図である。図の横軸は時間を表し、縦軸は検出値（正反射電圧の値）を示している。検出値の時系列データは、図５に示すように、時間とともに変化する正反射電圧の波形として表される。
【００５６】
ベタ濃度調整用のパッチパターンは、上述したように、最後尾のパッチの濃度が最も高い。そこで、特定部１３０は、正反射電圧の波形として表される時系列データを時間軸の後方から走査し、正反射電圧の値が閾値Ｔｈ以下になった点と、その点よりも走査方向の前方で正反射電圧の値が閾値Ｔｈ以上になった点とを検知する。そして、これら２つの点の中間点に相当する時間軸上の位置を、最後尾のパッチに対応するパッチ位置Ｐａ１として特定する。また、特定部１３０は、以上のように特定したパッチ位置Ｐａ１から走査方向の前方に、上述したパッチ間隔に対応する時間間隔Ｔｐ分シフトした位置を順次辿ることにより、ベタ濃度調整用のパッチパターンに含まれる他のパッチに対応するパッチ位置Ｐａ２，Ｐａ３，・・・，Ｐａｎを順次特定する。このようにして、濃度センサ５０から出力される検出値の時系列データの中で、ベタ濃度調整用のパッチパターンに含まれるすべてのパッチに対応するパッチ位置を特定することができる。
【００５７】
また、特定部１３０が以上のようにパッチ位置を特定した場合、差分算出部１４０が、最後尾のパッチに対応する推定パッチ位置Ｐａ１＿ｅを上述した方法で求め、パッチ位置Ｐａ１と推定パッチ位置Ｐａ１＿ｅとの差分Ｄを算出して、差分記憶部１５０に記憶させる。
【００５８】
図６は、ベタ濃度調整の後に実施されるハーフトーン濃度調整の際に濃度センサ５０から出力される検出値の時系列データからパッチ位置を特定する様子を示す図である。図５と同様に、図の横軸は時間を表し、縦軸は検出値（正反射電圧の値）を示している。検出値の時系列データは、図６に示すように、時間とともに変化する正反射電圧の波形として表される。
【００５９】
ハーフトーン濃度調整用のパッチパターンは、上述したように、先頭のパッチの濃度が最も高い。そこで、特定部１３０は、正反射電圧の波形として表される時系列データを時間軸の前方から走査し、正反射電圧の値が閾値Ｔｈ以下になる点を探す。しかし、ハーフトーン濃度調整用のパッチパターンでは、すべてのパッチの濃度が全体的に低いため、図６に示す例のように、正反射電圧の値が閾値Ｔｈ以下になる点を検出できない場合がある。
【００６０】
このような場合には、特定部１３０は、先頭のパッチに対応する推定パッチ位置Ｐｂ１＿ｅを上述した方法で求める。そして、特定部１３０は、差分記憶部１５０に記憶されている差分Ｄを読み出し、推定パッチ位置Ｐｂ１＿ｅを差分Ｄだけ時間軸上でシフトさせた位置を、先頭のパッチに対応するパッチ位置Ｐｂ１として特定する。また、特定部１３０は、以上のように特定したパッチ位置Ｐｂ１から走査方向の前方に、上述したパッチ間隔に対応する時間間隔Ｔｐ分シフトした位置を順次辿ることにより、ハーフトーン濃度調整用のパッチパターンに含まれる他のパッチに対応するパッチ位置Ｐｂ２，Ｐｂ３，・・・，Ｐｂｎを順次特定する。このようにして、濃度センサ５０から出力される検出値の時系列データの中で、ハーフトーン濃度調整用のパッチパターンに含まれるすべてのパッチに対応するパッチ位置を特定することができる。
【００６１】
図７は、本実施形態のパッチ濃度検出装置の演算装置１００により実行される一連の処理を示すフローチャートである。演算装置１００は、画像形成ステーション６Ｙ，６Ｍ，６Ｃ，６Ｂｋにより中間転写ベルト５上にパッチパターンが形成されるたびに、画像形成ステーション６Ｙ，６Ｍ，６Ｃ，６Ｂｋごとに、図７のフローチャートで示す一連の処理を実行する。
【００６２】
図７のフローチャートで示す一連の処理が開始されると、まず入力部１１０が、濃度センサ５０が出力する検出値の時系列データを入力して、バッファメモリ１２０に格納する（ステップＳ１０１）。
【００６３】
次に、パッチパターンのすべてのパッチに対応する検出値の時系列データがバッファメモリ１２０に格納されると、特定部１３０がバッファメモリ１２０から時系列データを読み出し、この時系列データから閾値を用いてパッチ位置を特定する処理を行う（ステップＳ１０２）。
【００６４】
ステップＳ１０２の処理の結果、時系列データの中で濃度が最も高いパッチに対応するパッチ位置が特定できた場合は（ステップＳ１０３：Ｙｅｓ）、特定部１３０は、特定したパッチ位置を基準とし、そのパッチ位置からパッチ間隔に対応する時間間隔分だけ時系列データを順次辿ることにより、パッチパターンに含まれる他のパッチに対応するパッチ位置を順次特定する（ステップＳ１０４）。また、差分算出部１４０が、濃度が最も高いパッチに対応するパッチ位置と、そのパッチに対応する推定パッチ位置との差分を算出し、差分記憶部１５０に記憶させる（ステップＳ１０５）。
【００６５】
一方、ステップＳ１０２の処理の結果、時系列データの中で濃度が最も高いパッチに対応するパッチ位置が特定できなかった場合は（ステップＳ１０３：Ｎｏ）、特定部１３０は、差分記憶部１５０に差分が記憶されているか否かを判定する（ステップＳ１０６）。そして、差分記憶部１５０に差分が記憶されていれば（ステップＳ１０６：Ｙｅｓ）、特定部１３０は、濃度が最も高いパッチに対応する推定パッチ位置と、差分記憶部１５０から読み出した差分とを用いて、時系列データの中で濃度が最も高いパッチに対応するパッチ位置を特定する（ステップＳ１０７）。そして、特定部１３０は、特定したパッチ位置を基準とし、そのパッチ位置からパッチ間隔に対応する時間間隔分だけ時系列データを順次辿ることにより、パッチパターンに含まれる他のパッチに対応するパッチ位置を順次特定する（ステップＳ１０８）。
【００６６】
一方、差分記憶部１５０に差分が記憶されていなければ（ステップＳ１０６：Ｎｏ）、パッチ位置の特定およびパッチ濃度の算出を行わずに、一連の処理を終了する。
【００６７】
濃度センサ５０が出力する検出値の時系列データの中で、パッチパターンに含まれるすべてのパッチに対応するパッチ位置が特定されると、濃度算出部１６０が各パッチ位置の検出値からパッチ濃度を算出し、出力部１７０が算出されたパッチ濃度を出力して（ステップＳ１０９）、一連の処理を終了する。
【００６８】
以上、具体的な例を挙げながら詳細に説明したように、本実施形態のパッチ濃度検出装置は、特定部１３０が、濃度センサ５０が出力する検出値の時系列データを閾値比較することでパッチ位置を特定できた場合は、差分算出部１４０が、特定されたパッチ位置と推定パッチ位置との差分を算出して差分記憶部１５０に記憶させる。そして、特定部１３０が、時系列データを閾値比較することでパッチ位置を特定できない場合には、推定パッチ位置と、差分記憶部１５０が記憶する差分とを用いて、パッチ位置を特定する。したがって、本実施形態のパッチ濃度検出装置によれば、パッチパターンに含まれるすべてのパッチの濃度が低い場合であっても、濃度センサ５０が出力する検出値の時系列データからパッチ位置を適切に特定して、パッチの濃度を検出することができる。
【００６９】
また、本実施形態の画像形成装置は、本実施形態のパッチ濃度検出装置を備え、濃度調整制御を行う際には、パッチ濃度検出装置が出力するパッチ濃度に基づいて画像形成ステーション６Ｙ，６Ｍ，６Ｃ，６Ｂｋの現像バイアスや帯電バイアスなどのパラメータを調整するので、濃度調整制御を適切に行って画像品質の安定化を図ることができる。
【００７０】
なお、本実施形態のパッチ濃度検出装置が備える演算装置１００の各機能は、上述したように、例えば演算装置１００のＣＰＵ１０１がプログラムを実行することによって実現される。演算装置１００のＣＰＵ１０１が実行するプログラムは、例えば、演算装置１００のＲＯＭ１０２などに予め組み込まれて提供される。また、演算装置１００のＣＰＵ１０１が実行するプログラムを、例えば、インストール可能な形式または実行可能な形式のファイルでＣＤ−ＲＯＭ、フレキシブルディスク（ＦＤ）、ＣＤ−Ｒ、ＤＶＤ（Digital  Versatile  Disc）などのコンピュータで読み取り可能な記録媒体に記録して提供するようにしてもよい。また、演算装置１００のＣＰＵ１０１が実行するプログラムを、インターネットなどのネットワークに接続されたコンピュータ上に格納し、ネットワーク経由でダウンロードさせることにより提供するように構成してもよい。また、演算装置１００のＣＰＵ１０１が実行するプログラムを、インターネットなどのネットワーク経由で提供または配布するように構成してもよい。
【００７１】
演算装置１００のＣＰＵ１０１が実行するプログラムは、上述した特定部１３０、差分算出部１４０、濃度算出部１６０などを含むモジュール構成となっており、実際のハードウェアとしてはＣＰＵ１０１（プロセッサ）がＲＯＭ１０２などからプログラムを読み出して実行することにより上記各部がＲＡＭ１０３などの主記憶装置上にロードされ、上述した各部が主記憶装置上に生成されるようになっている。
【００７２】
なお、本発明は、上述した実施形態そのままに限定されるものではなく、実施段階ではその要旨を逸脱しない範囲で様々な変形や変更を加えて具体化することができる。例えば、上述した実施形態では、パッチパターンに含まれるパッチのうち、濃度が最も高いパッチに対応するパッチ位置が特定されると、特定されたパッチ位置を基準としてパッチ間隔に対応する時間間隔分だけ時系列データを辿ることで、残りのパッチに対応するパッチ位置を特定するようにしている。しかし、パッチパターンに含まれるすべてのパッチに対して、まず時系列データに対する閾値比較によってパッチ位置の特定を試みて、閾値比較によりパッチ位置が特定されない場合に、推定パッチ位置と差分記憶部１５０が記憶する差分とを用いてパッチ位置を特定するようにしてもよい。
【００７３】
また、上述した実施形態では、ハーフトーン濃度調整を実施する場合でも、濃度センサ５０が出力する検出値の時系列データを閾値比較して、ハーフトーン濃度調整用のパッチパターンの先頭のパッチに対応するパッチ位置を特定できない場合に、そのパッチに対応する推定パッチ位置と、差分記憶部１５０が記憶する差分とを用いてパッチ位置を特定するようにしている。しかし、ハーフトーン濃度調整を実施する場合には、濃度センサ５０が出力する検出値の時系列データの閾値比較は行わず、ハーフトーン濃度調整用のパッチパターンの先頭のパッチに対応する推定パッチ位置と、差分記憶部１５０が記憶する差分とを用いてパッチ位置を特定するようにしてもよい。
【００７４】
ハーフトーン濃度調整では、上述したように、画像形成ステーション６Ｙ，６Ｍ，６Ｃ，６Ｂｋの帯電バイアスを変化させながらパッチパターンを形成するが、帯電バイアスが適正値から大きくずれた場合は、地汚れが発生しやすい。ハーフトーン濃度調整用のパッチパターンの先頭のパッチ（最も濃度が高いパッチ）は、帯電バイアスを最も小さくして形成されるパッチであるため、地汚れが発生する可能性が高い。このため、濃度センサ５０が出力する検出値の時系列データに対する閾値比較によりこのパッチに対応するパッチ位置を特定しようとした場合、地汚れが発生している位置をパッチ位置として誤って特定してしまう虞がある。これに対して、ハーフトーン濃度調整を実施する場合には、濃度センサ５０が出力する検出値の時系列データの閾値比較は行わず、推定パッチ位置と差分とを用いてパッチ位置を特定するようにすれば、上記のような不都合を有効に抑制することができる。
【符号の説明】
【００７５】
５０  濃度センサ
１００  演算装置
１１０  入力部
１２０  バッファメモリ
１３０  特定部
１４０  差分算出部
１５０  差分記憶部
１６０  濃度算出部
１７０  出力部
【先行技術文献】
【特許文献】
【００７６】
【特許文献１】特開２０１２−００３００１号公報
【特許文献２】特許第４８２００６７号公報
【図１】
2015031916.tif 000003
【図２】
2015031916.tif 000004
【図３】
2015031916.tif 000005
【図４】
2015031916.tif 000006
【図５】
2015031916.tif 000007
【図６】
2015031916.tif 000008
【図７】
2015031916.tif 000009